(57)【要約】【課題】  綴じ穴を穿孔した綴資料を綴じるタイプの従来のファイル・バインダーは、内部に多量の綴資料が重なった状態で行ういわゆる差し替え再配置作業をするときは、保持部材（綴じ紐や帯体、綴じピンなど）から綴資料を一旦抜いて整列し直し、再度、多くの綴資料の綴じ直しをせねばならず作業が面倒であったので、綴資料の抜き挿し及び分類が簡便にできる綴じ具を提供することを課題とした。【解決手段】  親綴じ具（バインダー）の保持部材を抜き差しせずとも保持部材へ装着可能な綴じ具を企図し、親綴じ具の保持部材に嵌入可能な嵌合用間隙とその嵌合用間隙部を開閉可能な保持爪部を設けるなどの手段で保持部材に着脱自在な小綴じ具とした。この小綴じ具により、綴資料の分類及び抜き差しが簡便にできるものとなった。【選択図】図１
2006231888.tif 000002
【特許請求の範囲】
【請求項１】
複数穿孔した綴資料の綴じ穴部に同間隔の複数の保持部材（綴じ足など）を挿通して綴じるタイプの親綴じ具の保持部材にセット可能な小綴じ具であって、小綴じ具は、本体基板１の後部に帯状の凸枠部（１１，１１ａなど）を形成して曲げ強度を高めると共に該凸枠部に沿って保持爪３を複数配置し、本体基板の後端縁部に親綴じ具へ着脱自在に嵌入可能とする嵌合用間隙Ｓを開口形成している。
該嵌合用間隙Ｓが親綴じ具の保持部材５に嵌入した後に保持部材５から脱落しないよう固定するために前記凸枠部に沿った保持爪３が、前記嵌合用間隙Ｓの開口の一部または全部を開閉自在に塞ぐことにより、保持部材５へ着脱自在に装着可能としており、本体基板１の前方部には、綴資料を綴じ込むために保持部を具備したことを特徴とする小綴じ具
【請求項２】
親綴じ具の保持部へ嵌入する嵌合用間隙Ｓの開口部と、該開口部を開閉自在に塞ぐ複数の保持爪（３ｃ１、３ｃ２）によって親綴じ具の保持部に着脱自在に装着可能としている請求項１記載の小綴じ具において、配置した複数の保持爪は連結板（３ｄ１、３ｄ２）をもって連結していて、本体基板後方部に形成した帯状の凸枠部（１１，１１ａなど）に沿ってスライド移動し、該連結板で連結した保持爪の一箇所の移動操作によって前記複数の保持爪による開口部の開閉作動が同時にできることを特徴とする小綴じ具
【請求項３】
請求項１記載の小綴じ具において、保持爪が嵌合用間隙Ｓの開口の一部または全部を開閉自在に塞ぐことにより保持部材５へ着脱自在に装着可能とするが、親綴じ具の保持部材５に嵌合用間隙Ｓを嵌入するときには、保持爪３が撓んで開口が拡大し、嵌入後は開口が復元縮小して塞ぐように弾力性を有する保持爪部としたことを特徴とする小綴じ具
【発明の詳細な説明】
【技術分野】
【０００１】  本発明は、パンチ穴（綴じ穴）を穿孔した用紙などの綴資料を綴じ込むためのファイリング用具であり、更に詳細には、バインダーなど親綴じ具の保持部材（綴じ足）に着脱自在に抜き差しできる小綴じ具に関するものである。
【背景技術】
【０００２】  従来から用紙など「綴じたいもの」（以下、綴資料と記す）を綴じる手段として、多くのファイル・バインダー用具が提供されている。
例えば、ホッチキスなど綴じ針で綴資料を綴じ込む方式があるが、この方式は、綴資料が比較的少量であるときには適しているが、厚みが厚い場合は綴じ方に難点があり、また順次追加蓄積していく資料である場合や綴じていた資料を取り出す必要性がある場合には、綴じ針をその都度とり外す作業が必要になるので面倒であり、針跡が残る問題もあるので、綴資料を個別に何度も抜き差しするような使用目的には適していない。【０００３】  一方、綴資料に串刺し用の複数のパンチ穴（以下綴じ穴と呼ぶ）を穿孔し、この綴じ穴に綴じ紐や帯材、貫通ピンなどの保持部材（綴じ足など）を刺し通して綴じる方式のファイル・バインダー類が数多く提供されている。
この種の綴じ穴を設ける綴じ方の場合は、無傷の綴資料に穿孔するので原形が崩れる欠点があるが、厚みが厚い多量の綴資料の場合にも綴ることが容易に出来るし、綴資料を自由に外すこともできるので、この綴じ方式は綴資料の保管用に普及し多用されている。【０００４】  例えば、綴じ穴のある綴資料を多量に綴る方式のファイル・バインダーの事例として、特許文献・特開２００３−２７６３７６号公報などがある。
この事例を含む、綴じ穴に綴じ紐や帯材、貫通ピンなど保持部材を通して綴る方式の多くのファイル・バインダーの場合は、分量が多い綴資料を綴じることには適している。
しかし、一旦内部に綴じた綴資料をコピーなどの利用のために取り出したい時や、内部に綴じた資料部分に同類の資料を追加して差し入れたい時などの場面には、保持部材である綴じ紐や帯材、或いは貫通ピンを一旦抜き取ってから、通し直しを行う必要があるから、この場合には、綴資料が多くなればなるほど、綴じ穴に対する抜き挿しの手間も多くかかって、処理が煩わしくなっていく。抜き挿し作業を簡単にする一つの手段として、透明フィルムを袋状にして綴じるクリアファイルがあり、この方法は、綴資料自身には綴じ穴を設けずファイル内に収納することができるので便利であるが、反面、収納した資料をクリアファイル内から取り出さないと見開きできないから、閲覧の作業性が劣る欠点がある。
かように分量の多い資料をファイリングしたり、抜き挿しの作業性を改善したり、綴資料の分類化や閲覧確認がより簡便にできることなどを目的として、従来より多くのファイル・バインダーの構造の発明がなされてきたが、まだ十分満足できるものでなかった。
【発明の開示】
【発明が解決しようとする課題】
【０００５】  前述の通り、既存ファイル・バインダーなど親綴じ具の保持部材に多数の綴資料（クリアファイルを含む）を綴じ込む場合は、綴資料の孔穴部に保持部材（綴じ足など）の端部を順次串刺しに通す作業となり、綴資料は当然、綴じ順に配置されたものとなる。
ここで綴資料の一部抜き出しや追加資料の差し込みなどの目的で綴じ方に再配置の必要性が生じた時には、綴資料の必要箇所を一旦保持部材の端部から取り外してから綴資料を再配置し、再び保持部材の端部に順次綴じ戻す作業を行うものとなる。
かような作業では、本来綴じ方の再配置をしなくてもよい位置にある再配置不要部分の綴資料であっても、一旦保持部材から取り外す作業が必要となるが、この作業によって綴資料の孔穴部の整列が乱れてしまい、再度保持部材の端部を刺し通すのに多くの手間を要するなどの非能率な問題がしばしば起きていた。
また綴じ順序を配置変更したい場合などには、僅かな変更であっても多くの綴資料を外してから、再度保持部材に綴じる作業が必要になり、このような場合にも不便さがあった。
本発明は、上述したファイル・バインダー（親綴じ具）の内部に綴じた資料の抜き出し、追加差し込み、及び配置変更を行う作業を行う時に、綴資料が少ない時でも、多い時にも綴資料の抜き挿しが容易にでき、綴資料ファイルの分類や内部確認も簡単に行え、しかも安価に製造できるファイル用具を提供することを目的とするものである。
【課題を解決するための手段】
【０００６】  本発明は、上述の課題を以下に示す手段により解消したものである。
複数穿孔した綴資料の綴じ穴部に同間隔の複数の保持部材（綴じ足など）を挿通して綴じるタイプの親綴じ具の保持部材にセット可能な小綴じ具であって、小綴じ具は、本体基板１の後部に帯状の凸枠部（１１，１１ａなど）を形成して曲げ強度を高めると共に該凸枠部に沿って保持爪３を配置し、本体基板の後端縁部に親綴じ具の保持部材５へ着脱自在に嵌入可能とする嵌合用間隙Ｓを開口形成している。
該嵌合用間隙Ｓが親綴じ具の保持部材５に嵌入した後に保持部材５から脱落しないよう固定するために前記凸枠部に沿った保持爪３が、前記嵌合用間隙Ｓの開口の一部または全部を開閉自在に塞ぐことにより、保持部材５へ着脱自在に装着可能としており、本体基板１の前方部には、綴資料を綴じ込むために保持部を具備したことを特徴とする小綴じ具【０００７】  本発明の構成において、先ず「小綴じ具は、本体基板１の後部に帯状の凸枠部（１１，１１ａなど）を形成して曲げ強度を高めると共に該凸枠部に沿って保持爪３を複数配置」としたのは次の理由による。
本発明は、親綴じ具の保持部に小綴じ具を装着可能とすることを前提にしているから、小綴じ具の本体基板が厚いと親綴じ具にセットする嵩が増えて収納性が下がる。
そこで本体基板１は、より薄い方が好ましいのであるが、反面では基板が撓み曲がり易くなりやすい。このため薄い基板であっても曲げ強度が増すようにするものである。
また、凸枠部に沿って保持爪３を配置するのは、一緒に重ねて綴じる他の綴資料に圧迫され引っかかりるなどの不具合が発生するのを回避する保護策とするためである。
すなわち、この帯状の凸枠部とは、本体基板面に突起して横断面形がＬ、Ｆ、Ｐのいずれかの文字形に類似する折り曲った凸板部である。丁度一般鋼材のＬ、Ｔ、Ｈ、型鋼のように板材を凹凸形にすることによって強度アップした状態となることを意図している。同時に、突起した凸枠部に沿って、凸枠部の上頂部から本体基板面の間隔に保持爪３を配置することにより、親綴じ具の保持部に重ねて綴じた他の綴資料が、本体基板の上下を挟みつける状態となっても、凸枠部によって保持爪の動きが損なわれないように保護する意図を有する。【０００８】  次に「本体基板の後端縁部に親綴じ具の保持部材５へ着脱自在に嵌入可能とする嵌合用間隙Ｓを開口形成している」とした構成について述べる。
前述の如く、従来公知のファイル・バインダー（親綴じ具）の問題点は、親綴じ具内に綴じた綴資料の再配置が必要になった時には、本来は再配置が必要でない綴資料の部分であるのに、他の綴資料の抜き出しなどのために保持部材から一旦取り外さねばならないような非能率な作業が必要になることが多いことにある。
このような非能率な作業を減らすには、既に綴資料を綴じた親綴じ具の保持部から、再配置が必要な綴資料の部分だけを着脱すことができれば好ましいとの発想により、本発明は、保持部材へ着脱自在に嵌入セット可能とするために嵌合用間隙Ｓ部を本体基板の後端縁部に開口形成したものである。【０００９】  しかし、保持部材５に着脱自在に嵌入可能であっても確実に固定されなければ保持部材５から脱落してしまうので、本発明は更に以下の構成としている。
「該嵌合用間隙Ｓが親綴じ具の保持部材５に嵌入した後に保持部材５から脱落しないよう固定するために前記凸枠部に沿った保持爪３が、前記嵌合用間隙Ｓの開口の一部または全部を開閉自在に塞ぐことにより、保持部材５へ着脱自在に装着可能としており、本体基板１の前方部には、綴資料を綴じ込むために保持部を具備した」【００１０】  ここで「前記凸枠部に沿った保持爪３が、前記嵌合用間隙Ｓの開口の一部または全部を開閉自在に塞ぐことによって、保持部材５へ着脱自在に装着可能」とするには、保持爪３は適宜な保持力と係止力による開閉操作ができることが必要であるが、このような開閉自在な操作は、実施例１〜３に示す様に、帯状の凸枠部（方形枠など）に沿って複数の保持爪を同時にスライド可能としたり、凸枠部上に形成した保持爪の曲げ弾性や可撓性により支持点を中心に屈曲変形可能な保持爪形状とするなどの手段で得ることができる。
かように親綴じ具の保持部５に嵌入した嵌合用間隙Ｓの開口部を保持爪によって塞ぐことが可能であるから、保持部からの脱落なく小綴じ具が綴じられると共に、保持爪３の開閉操作をするだけで他の綴資料の綴じ順や分量に関係なく、親綴じ具の保持部５から任意の小綴じ具を自由に着脱可能となり、小綴じ具の前方側には綴資料を綴じ込むための保持部（押え蓋などを含む）を具備しているので、綴資料６を容易に装着することができる。【００１１】  上述の本発明の小綴じ具の構成によれば、親綴じ具に装着する上で、次のような綴じ方が選択できる。
（１）親綴じ具内の全て、小綴じ具を綴じて使用する。（２）小綴じ具は、他の綴資料と一緒に重ね合わせて綴じる。すなわち、（１）、（２）の綴じ方とも親綴じ具の中に装着した位置は目視で確認し易いし、複数の異なる小綴じ具を用いて予め綴資料を分類化して綴じることにより、差し替えが必要になったときは、該当の綴資料を綴じた小綴じ具だけを選んで着脱することが可能であるから分類も着脱作業も簡単に行うことができる。
また、綴資料の着脱作業を行うときは、▲１▼親綴じ具の保持部から任意の小綴じ具を取り外してから、綴資料を小綴じ具の保持部に着脱する。▲２▼小綴じ具が親綴じ具の保持部材に装着されたままで、綴資料を小綴じ具の保持部から着脱する。
すなわち本小綴じ具単独でも綴資料をファイリングできる上、親綴じ具の保持部５に多くの綴資料を重ねて保管する場合などにおいて、上述の複数の使用方法の中から、消費者が楽に着脱作業ができる使い方を選ぶことができるので便利であり、構成部品も簡単で汎用のプラスチック成形や金属プレス加工機などによって安価に製造可能である。
【発明の効果】
【００１２】  ファイル・バインダー（親綴じ具）に装着可能な本発明の小綴じ具は、綴資料の抜き差しの着脱作業が簡単にできると共に綴資料を分類して保管しやすく、製造的にも安価に製作可能な製品を提供可能とした。
【発明の実施するための最良の形態】
【００１３】  以下、本発明の実施形態として図１〜１６に基づいて説明する。（本発明の綴じ具の構成で形態が左右対称の部分は、左右同符号のものとして説明する。）
【実施例１】
【００１４】  図１〜図８は本発明小綴じ具の実施例１の図を示している。
参照符号１は小綴じ具の本体基板であり、基板前方に綴資料６の綴じ穴を挿し込むための綴じ足ピン４を形成していて、後方端部には直立して箱状の方形枠１１（帯状の凸枠部）を形成している。該方形枠１１は、枠の外から内へ開口した切開部１１ｂ、及び複数（２箇所）の嵌合用間隙Ｓを形成し、方形枠底板１１ａをもって有底としている。
嵌合用間隙Ｓは、親綴じ具の保持部材（綴じ足など）に嵌め込むための間隙であり、保持部材５の間隔に合せて嵌め入れやすく、嵌入後はガタツキが生じにくい適宜な開口としている。【００１５】  箱状の方形枠１１内には、保持爪３を方形枠内壁や底板１１ａに沿ってスライド移動可能に収納している。
該保持爪３は、一端部に表面凹凸の保持爪取っ手３ａ部を設けて手で摘み易くしてあり、後端に向かって保持爪係止用突起３ｂと保持爪先３ｃ１を有し、更に後端側には、連結板３ｄ１と３ｄ２（図８参照）によって連結した保持爪３ｃ２を備えている。この連結板は、保持爪取っ手３ａを手でスライドする際、保持爪３ｃ１及び保持爪３ｃ２を同時に動かす。
保持爪係止用突起３ｂは、保持爪全体を収納装着した方形枠１１内において、切開部１１ｂの部位に配置し、保持爪取っ手３ａをスライドする際の移動範囲を規制し、同時に不用意に枠内から抜け出るのを防ぐために、突起は切開部１１ｂの左右の枠端に突き当たって止まる高さのストッパーとしている。（図３〜６参照）【００１６】  前記保持爪３に設けた保持爪３ｃ１及び保持爪３ｃ２は、前記嵌合用間隙Ｓを親綴じ具の保持部５へ嵌入するときは開口を開き、嵌入後には塞ぐように、方形枠１１の嵌合用間隙Ｓに符合した位置に形成配置している。（図５〜６参照）
前記本体基板１に設けた綴じ足ピン４は、先端に蓋ピン嵌合孔４ａを形成していて、押え蓋２に設けた蓋ピン２ａの錐状部２ａ１を容易に嵌合できるものとし、綴じ足ピン４に綴資料６を綴じた後には該押え蓋２によって脱落を防ぐ適宜な嵌合力としている。【００１７】  本実施例が目的とした上記小綴じ具は、まず親綴じ具の保持部５へ装着可能とすることを前提としている。このため小綴じ具の本体基板１が厚いと嵩が増えて親綴じ具に綴じられる分量が減ってしまうので、本体基板１はより薄くし、取り扱い上、適度に強度が有ることが望ましく、また使用場面として親綴じ具の保持部５に既に多くの綴資料が重なって綴じられた状態にても、小綴じ具の取付け、取外しの着脱作業がより容易にできることが望ましい。すなわち、既に綴資料を重ねて綴じた親綴じ具の保持部材５の中に小綴じ具を取付けて使用する場合には、方形枠部１１に形成した嵌合用間隙Ｓの開口を、任意の重なった綴資料の部分に分け入れて保持部材５に嵌入し、その後に保持爪３をスライド移動して開口を塞ぎ固定する作業が必要になる。【００１８】  このような作業場面であっても作業が行いやすくするために本実施例は、本体基板１の後方端部に箱状の方形枠１１（帯状の凸枠部）を断面ＦまたはＰ字型の板形として形成しているので、本体基板部１の肉厚を薄くしても、方形枠部１１部によって持ち易く反り曲がりにくい強度を保つ。このため本体基板上に設けた綴じ足ピン４に綴資料６の綴じ穴を綴じる作業がしやすく、また綴じ足ピン４の蓋ピン嵌合孔４ａに押え蓋２の蓋ピン２ａを嵌入する作業においても持ちやすく綴資料６を押えて綴じ易い。
更に、保持爪３が方形枠１１に収納されているので、重なった綴資料部分に分け入るときや保持爪３のスライド移動操作の時にも、保持爪３が他の綴資料に引っかかりなく作業ができ、尚且つ、１箇所の保持爪取っ手３ａだけをスライドすれば、複数の保持爪３ｃ１及び保持爪３ｃ２が連結板で連結しているので同時に開閉可能で操作性が簡単である。【００１９】  本実施例図では便利性の追究上、１箇所の保持爪取っ手３ａのスライド操作で複数の保持爪（３ｃ１、３ｃ２）を同時に開閉できることを示したが、個々の保持爪にそれぞれ取っ手を設けるなどの変更も容易にきるから、このような変更は本発明の構成を逸脱するものではない。【００２０】  尚、本実施例の小綴じ具は、親綴じ具の保持部５に既に複数の綴じ資料や小綴じ具が重なって綴じられている場合の使用では、その重なった順番に関係なく、嵌合用間隙Ｓの開口を閉じている保持爪先（３ｃ１，３ｃ２）をスライド移動して開くことにより、任意の小綴じ具を抜き出すことが出来る。従って、特に綴資料が何らかの分類がされていて、その資料の追加や抜き外しを行う必要があるときの差し替え（着脱）において作業が簡単にでき、小綴じ具別に綴じる綴資料を予め分類しておくなどの使い方をすることによって、綴資料の分類も行いやすく多様な使い方が出来るので便利である。【００２１】  本発明を構成する本体基板１、押え蓋２、保持爪３の各部の材質として、ポリエチレン、ポリプロピレン、ポリオキシメチレン、ポリエステル、ポリカーボネート、ポリアミドなどの硬質で弾力性に富む汎用のプラスチック及び、プレス加工で成形できる金属が採用でき、容易に成形して製造することができるので製造コストも安く出来るものである。
尚、小綴じ具の便利性をより高めるために、小綴じ具を種々の色に着色して綴資料の分類をし易くしたり、綴資料の内容表示のための背表紙を貼り付け易くするなどのことは特に説明していないが、本実施例構成の範疇として容易に実施できるものである。
【実施例２】
【００２２】  図９〜１２は本実施例２を示した図である。本実施例２は、実施例１の本体基板１の後方端部に設けた箱状の方形枠１１部分の形態を変更したものであって、基板前方に設けた綴じ足ピン４の形態は、実施例１と同じである。従って、変更部分を中心に説明する。【００２３】  本実施例２の本体基板１の後方端部には、本体基板に直立して帯状の底板１１ａ（帯状の凸枠部）を形成し、この底板上の中央部に、コの字状のガイド板部１１（帯状の凸枠部）及び両端部に嵌合用間隙Ｓを隔てて保持爪３を形成している。
ガイド板１１は、親綴じ具が有する一対の保持部材５の間に挿入しやすくガタツキが生じにくい適宜な幅となし、また、挿入を容易とするためにガイド板１１の両端には適度のアール（曲部）を設けている。【００２４】  前記保持爪３は、底板１１ａ上に保持爪支柱３ｂを支柱にして上部に保持爪先部３ｃを断面Ｔ字形に設けている。ここで保持爪先部３ｃは、左右の保持爪支柱３ｂとガイド板１１両端部の間に形成した嵌合用間隙Ｓに挿入する親綴じ具の保持部材５が、挿入時には入り易く、挿入後は自然には抜け出ない状態の開閉可能な保持機能を必要とする。このため保持爪先部３ｃを支える保持爪支柱３ｂは、基部を中心に弾力性をもって撓み曲がる適宜な支柱幅とし、保持爪先部３ｃは、ガイド板１１端部との間に小間隙を設けたりＴ字形の保持爪先部がイ字形となるように爪に傾斜部を設けるなどにより、保持部材が挿入し易く、抜けにくい状態を作るのが好ましい。【００２５】  このように形成配置した嵌合用間隙Ｓ部に親綴じ具の保持部材５を嵌入する作業では、保持爪３を指で押し開いて保持部材５を挿入することも可能であるが、単に保持部材５を嵌合用間隙Ｓ部に押し込むことでも嵌入可能としている。挿入された保持部材５は、Ｔ字形の保持爪先部３ｃに丁度釣り針の返し部のように引っかかって抜けにくい状態となるが、逆に嵌入した保持部材５を抜き出したい場合は、保持爪３を指で押し開くことで容易に抜くことが出来る。
尚、本体基板１の前方側には、実施例１と同様に綴じ足ピン４を有し、綴じ足ピン４の先端には蓋ピン嵌合孔４ａを備え、綴じ蓋２の蓋ピン２ａを嵌入することで綴じ足ピン４に綴じる綴資料６を綴じることができる。
実施例２はかような小綴じ具の構成であるため、親綴じ具の保持部材５に既に他の綴資料が綴じられていても、綴資料の間に分け入れて嵌合用間隙Ｓ部を着脱自在に脱落無く嵌入セット可能であり、実施例１と同様に綴資料の分類も行い易いものである。【００２６】  ここで図９〜１１は、本体基板１の底板１１ａ上の外側に保持爪３、内側にガイド板１１を配置しているが、図１２は、反対向きの構成にしている。すなわち、底板１１ａの外側にガイド板１１、内側に保持爪３を配置した形態として親綴じ具の保持部材５を嵌合用間隙Ｓ部に嵌入セットするようにしたものであるが、この場合も上述同様の機能を有し、本発明構成の範疇のものである。本実施例２も実施例１と同様な材質によって成形でき、実施例１と同様機能の綴じ具が得られるものである。
【実施例３】
【００２７】  図１３〜１６は本実施例３を示した図であり、本実施例は弾力性に富むプラスチックシート材などの打抜き加工によっても本発明の完成品が得られることを示したものである。
図１３は、プラスチックのシート材（厚さ２ミリ以下の平板材）をプレス機などで型抜きした状態を示し、破線部は折り込む箇所を表している。【００２８】  図１３の参照符号１は本体基板部分であり、本体基板上の２本の破線部を折り曲げることにより、本体基板面後端に垂直に立つ枠板１１（帯状の凸枠部）を形成している。
本体基板１上には一対の綴じ足１３を形成していて根元を垂直に折り曲げて使用する。参照符号２は綴じ蓋部分であり、該綴じ蓋２には前記綴じ足１３を挿し通して固定するための方形孔２ａと綴じ足１３の先端部１３ａを更に挿し通して固定するため複数の固定孔２ｂを備え、各孔穴は一線上に整列するように穿孔されている。【００２９】  中央の２本の破線部（枠板１１部）間によって分けられた本体基板部１と綴じ蓋部２には、嵌合用間隙Ｓとする穴を左右対象に形成している。該嵌合用間隙Ｓとする穴は、破線部（枠板１１部）上に切り割り溝部３ｄを形成することにより繋がった開口間隙となり、同時に枠板１１面上には弧状凸形の保持爪先部３ｃが形成される。
図１４は、上記図１３の破線部を折って組み立てた状態を示し、本体基板２の後端に枠板１１が垂直に立ち、該枠板１１上には嵌合用間隙Ｓの開口となる切り割り溝部３ｄ及び弧状の保持爪先３ｃが形成されている。ここで枠板１１の左右両端側は、割り溝部３ｄによって形成した保持爪部３であり、保持爪先３ｃは割り溝形状を変えることで形状及び弾性力を種々変更可能である。【００３０】  図１５は、上記図１４の弧状の保持爪先３ｃ部分の拡大図であり、親綴じ具の保持部材５を嵌合用間隙Ｓ内に押し付けて嵌入する場合の保持爪先３ｃの変形状態を示している。すなわち、親綴じ具の保持部材５を嵌合用間隙Ｓに向かって押し付けると保持爪３ｃが撓んで切り割り溝部３ｄの開口が開いて保持部材５が嵌入可能であり、逆に一旦嵌入した保持部材５を嵌合用間隙Ｓから引き出す時は、適宜に力を加えると開口が開いて保持部材の着脱が可能になることを示している。【００３２】  更に図１６は、綴資料６を綴じた小綴じ具を親綴じ具の保持部５に嵌入装着した使用状態を示している。前記綴じ足１３の先端部１３ａを綴資料６の綴じ穴に挿し、続いて綴じ蓋２の方形孔２ａに刺し通した後に固定孔２ｂに差し込むことで綴資料６を脱落なく綴じることができる。綴じ足１３に綴資料６を綴じるときは綴資料の分量によって余った綴じ足１３の長さが変化するので、綴じ足１３を固定する固定孔２ｂは複数設けて適宜な所に綴じ足先端部１３ａを差し込み固定するのが好ましい。【００３３】  本実施例においても、嵌合用間隙Ｓを親綴じ具の保持部５に嵌入することによって、前記実施例１同様に親綴じ具の保持部５に着脱自在に装着できる。
前述の如く材質は、弾力性に富むプラスチック（ポリエチレン、ポリプロピレン、ポリカーボネート、ポリエステル、ポリオキシメチレン、ポリアミドなど）のシート材の打ち抜き加工や成形によって容易に加工することができ、本発明の課題を達成する小綴じ具となるものである。
【図面の簡単な説明】
【００３４】
【図１】  実施例１の小綴じ具全体図
【図２】  実施例１の小綴じ具構成を示す図
【図３】  図２の保持爪開閉部の拡大図（保持爪を開いた図）
【図４】  図２の保持爪開閉部の拡大図（保持爪を閉じた図）
【図５】  図２要部のＫ−Ｋ’断面部（保持爪を開いた図）
【図６】  図２要部のＫ−Ｋ’断面部（保持爪を閉じた図）
【図７】  図２要部のＫ−Ｋ’断面・本体部分
【図８】  保持爪部の全体図
【図９】  実施例２の小綴じ具全体図
【図１０】  実施例２の小綴じ具構成を示す図
【図１１】  図１０の保持爪開閉部の拡大図（保持爪を開いた図）
【図１２】  実施例２の構成部の一部変更例
【図１３】  実施例３の小綴じ具平面図（組立前）
【図１４】  実施例３の小綴じ具（組立後）
【図１５】  図１４の保持爪開閉部の拡大図（保持爪を開いた図）
【図１６】  実施例３の小綴じ具全体図
【符号の説明】
【００３５】＜実施例１：図１〜８＞
１    本体基板
１１  方形枠（凸枠部）
１１ａ方形枠底板（凸枠部）
１１ｂ切開部
Ｓ    嵌合用間隙部
２    押え蓋
２ａ  蓋ピン
２ａ１蓋ピンの錐状部
３    保持爪
３ａ  保持爪取っ手
３ｂ  保持爪係止用突起
３ｃ１保持爪１（先部側）
３ｃ２保持爪２（後部側）
３ｄ１保持爪連結板１
３ｄ２保持爪連結板２
４    綴じ足ピン
４ａ  蓋ピン嵌合孔
５    親綴じ具（バインダー）の保持部
６    綴資料
＜実施例２：図９〜１２＞
１    本体基板
１１  ガイド板部（凸枠部）
１１ａ底板部（凸枠部）
Ｓ    嵌合用間隙
２    押え蓋
２ａ  蓋ピン
２ａ１蓋ピンの錐状部
３    保持爪
３ａ  保持爪支柱
３ｃ  保持爪先
４    綴じ足ピン
４    蓋ピン嵌合孔
５    親綴じ具（バインダー）の保持部
６    綴資料
＜実施例３：図１３〜１６＞
１    本体基板
１１  枠板部（凸枠部）
１２  綴じ足
１２ａ綴じ足先部
Ｓ    嵌合用間隙
２    押え蓋
２ａ  方形孔
２ｂ  綴じ足固定孔
３    保持爪部
３ｃ  保持爪先部
３ｄ  切り割り溝部
５    親綴じ具（バインダー）の保持部
６    綴資料
【図１】
2006231888.tif 000003
【図２】
2006231888.tif 000004
【図３】
2006231888.tif 000005
【図４】
2006231888.tif 000006
【図５】
2006231888.tif 000007
【図６】
2006231888.tif 000008
【図７】
2006231888.tif 000009
【図８】
2006231888.tif 000010
【図９】
2006231888.tif 000011
【図１０】
2006231888.tif 000012
【図１１】
2006231888.tif 000013
【図１２】
2006231888.tif 000014
【図１３】
2006231888.tif 000015
【図１４】
2006231888.tif 000016
【図１５】
2006231888.tif 000017
【図１６】
2006231888.tif 000018